(57)【要約】      （修正有）【課題】背中等自分では、手の届かない箇所に軟膏等の薬物を塗ることが出来るようにした軟膏等を塗る器具を提供する。【解決手段】軟膏等を塗る器具は、弓形の本体１と、前記本体の一端に設けられた把持部２と、前記本体の他端に設けられた軟膏塗布手段３と、前記本体の他端に設けられて前記軟膏塗布手段を回転可能に支持する支持手段とを備える。さらに、前記軟膏塗布手段３と前記支持手段との間に形成された隙間に収納された軟膏を軟膏塗布手段３の表面に転移させて背中等の自分では手の届かない箇所に塗ることが出来るようにする。【選択図】図１
0003177676.tif 000002
【実用新案登録請求の範囲】
【請求項１】
乾燥肌に起こる痒みを抑える為の軟膏等を、背中等の自分では手の届かない箇所に塗ることが出来ることを特徴とした器具。
【考案の詳細な説明】
【技術分野】
【考案の詳細な説明】
【０００１】  寒い季節に起こる乾燥肌による皮膚の痒みを抑える軟膏等を塗る器具。
【背景技術】
【０００２】  従来は、乾燥肌による皮膚の痒みが、手の届かない背中等に出来ると、一人ではどうしようもなく痒みを我慢するか、他人に軟膏等を塗り付けてもらうしかない。
【考案の開示】
【考案が解決しようとする課題】
【０００３】  その軟膏等を手の届かない背中等に、自分自身で塗れる器具があったならば、痒みのある人にとっては大変便利で有難い。
【課題を解決するための手段】
【０００４】  その為に、弓形をした本体を設けて、一方の先に握る箇所、別の先端には、痒みを抑えるための軟膏等を入れる容器があり、その先端から肌に塗り付けるのである。
【考案の効果】
【０００５】  本考案の特徴は、軟膏等を痒みのあるところに自分自身で簡単に塗れるのであるから、絶えず他人に頼まなくても痒みから解消出来るのである。
【考案を実施するための最良の形態】
【０００６】  図１で説明する。本体（Ａ）の１は、よく知るブーメランに似た弓形になっている。２の先端は、本体を動かすために必要な握り部分であり、（Ｂ）３○印を背中に当てて本体を動かした時、本体１が肩等に触れる事が無い。１から繋がっている３の先端（Ｈ）図の４は（Ｄ）の４であり、軟膏等を入れる半円形である、その（Ｄ）と固定するために（Ｅ）の容器がある。その容器の１１にある空間に１１−１からボール１２を入れて、その先のノズル先端からボールの一面を出して、肌との摩擦で回転した時に、半円形にある軟膏等がボールの周りに付き肌に塗れるのである。【０００７】  ボールの材質は、硬質又は軟質であっても表面は滑々だと、肌の表面で回転せず、軟膏等を塗り付ける事が出来ず用を足さないと考えられる。したがって、痒み箇所の皮膚を傷つけたりしない程度の、凹凸のある粗面が良い。【０００８】  （Ｆ）のノズル９は、ボールの一表面が大きいほど皮膚との摩擦で回転する力が加わると思われるので、ボールがノズルから外れない程度の大きにする事が必要だ。【０００９】  組み立ては、４に軟膏等を、１１にボールを入れ（Ｄ）の５と（Ｅ）の１０とを捩じ込みながら固定する。【００１０】  使用後に大切なことは、半円形箇所４やボール１２の表面に、軟膏等が残っていて、そのまま数日放置した場合、軟膏等が乾燥して固まってしまう事もありうるので、ＨからＥを簡単に取り外して拭き取りや掃除が出来る形態にしたのである。
【実施例】
【００１１】  図１（Ｂ）に示す
【図面の簡単な説明】
【００１２】  （Ａ）  本体側面図
（Ｂ）  実施図  先端３の○印は（Ｈ）の拡大断面で示す
（Ｃ）  （Ｂ）３の○印先端拡大断面図
（Ｄ）  軟膏等を入れるための半円形箇所４と捩じ５の拡大側面図
（Ｅ）  ボール挿入前の先端容器拡大側面図
（Ｆ）  Ｅの断面図
（Ｇ）  Ｆにボール挿入図
（Ｈ）  （Ｂ）３の○印拡大断面図  ＤにＧ取り付けの断面図
（Ｉ）  Ｅの底面図
（Ｊ）  Ｈの底面図
【符号の説明】
【００１３】  １  本体
２  握る部分
３  軟膏等を塗る先端
４  半円形
５  固定用捩じ
６  （Ｅ）の外壁
７  ６の円筒
８  ７の内壁
９  ノズル口
１０  ５との固定用捩じ
１１  ボール挿入空間
１１−１  ボール挿入口
１２  ボール
【図１】
0003177676.tif 000003
【手続補正書】
【提出日】平成24年6月4日(2012.6.4)
【手続補正１】
【補正対象書類名】実用新案登録請求の範囲
【補正対象項目名】全文
【補正方法】変更
【補正の内容】
【実用新案登録請求の範囲】
【請求項１】
弓形の本体と、前記本体の一端に設けられた把持部と、前記本体の他端に設けられた軟膏塗布手段と、前記本体の他端に設けられて前記軟膏塗布手段を回転可能に支持する支持手段とを備え、前記軟膏塗布手段と前記支持手段との間に形成された隙間に収納された軟膏を軟膏塗布手段の表面に転移させて背中等の自分では手の届かない箇所に塗ることが出来るようにしたことを特徴とする軟膏等を塗る器具。
【手続補正２】
【補正対象書類名】明細書
【補正対象項目名】全文
【補正方法】変更
【補正の内容】
【考案の詳細な説明】
【技術分野】
【０００１】 本考案は、寒い季節に起こる乾燥肌による皮膚の痒みを抑える軟膏等を塗る器具に関するものである。
【背景技術】
【０００２】従来は、乾燥肌による皮膚の痒みが、手の届かない背中等に出来ると、一人ではどうしようもなく痒みを我慢するか、他人に軟膏等を塗り付けてもらうしかない。
【先行技術文献】
【特許文献】
【０００３】 【特許文献１】実用新案登録第３０８３８０７号公報
【考案の概要】
【考案が解決しようとする課題】
【０００４】上記従来の背中軟膏塗布用具は、リキットファンデーション用スポンジに適量の薬を塗布して使用するものであるが、塗布面積が広いと何度もリキットファンデーション用スポンジに適量の薬を塗布しなければならず、使い勝手が悪いという問題点があった。
【課題を解決するための手段】
【０００５】本考案の軟膏等を塗る器具は、弓形の本体と、前記本体の一端に設けられた把持部と、前記本体の他端に設けられた軟膏塗布手段と、前記本体の他端に設けられて前記軟膏塗布手段を回転可能に支持する支持手段とを備え、前記軟膏塗布手段と前記支持手段との間に形成された隙間に収納された軟膏を軟膏塗布手段の表面に転移させて背中等の自分では手の届かない箇所に塗ることが出来るようにしたことを特徴とする。
【考案の効果】
【０００６】本考案は、弓形の本体と、前記本体の一端に設けられた把持部と、前記本体の他端に設けられた軟膏塗布手段と、前記本体の他端に設けられて前記軟膏塗布手段を回転可能に支持する支持手段とを備え、前記軟膏塗布手段と前記支持手段との間に形成された隙間に収納された軟膏を軟膏塗布手段の表面に転移させて背中等の自分では手の届かない箇所に塗ることが出来るようにしたことを特徴とするものであり、軟膏等を痒みのあるところに自分自身で簡単に塗れるのであるから、絶えず他人に頼まなくても痒みから開放されるのであり、更に、前記軟膏塗布手段と前記支持手段との間に形成された隙間に収納された軟膏を効率良く使用でき、使い勝手が良いという効果がある。
【図面の簡単な説明】
【０００７】 【図１】本考案の実施態様に係る軟膏等を塗る器具の側面図である。
【図２】同上に係る軟膏等を塗る器具の使用状態説明図である。
【図３】同上に係る軟膏等を塗る器具の軟膏塗布手段を示す断面図である。
【図４】同上に係る軟膏等を塗る器具の軟膏塗布手段の軟膏等を入れるための半円形箇所を示す側面図である。
【図５】同上に係る軟膏等を塗る器具の軟膏塗布手段の支持手段を示す側面図である。
【図６】同上に係る軟膏等を塗る器具の軟膏塗布手段の支持手段の断面図である。
【図７】同上に係る軟膏等を塗る器具の軟膏塗布手段の支持手段にボールを挿入した断面図である。
【図８】同上に係る軟膏等を塗る器具の軟膏塗布手段の要部の断面図である。
【図９】図５における軟膏塗布手段の支持手段の正面図である。
【図１０】図８における軟膏塗布手段の正面図である。
【考案を実施するための形態】
【０００８】図１で説明する。軟膏等を塗る器具の本体１は、よく知られているブーメランに似た弓形になっている。軟膏等を塗る器具の本体１の先端は、本体１を動かすために必要な握り部分となる把持部２であり、本体１の他端に設けられた軟膏塗布手段３を背中に当てて本体１を動かした時、本体１が肩等に触れる事が無い。
【０００９】本体１から側方に延出された延出部の先端には半円形の軟膏等を入れる軟膏収納部４が形成されている。
【００１０】その延出部に形成された固定用ねじ５と螺合するねじ部１０が容器６の内面に形成されている。支持手段６の実施例となる容器には円筒部７と内壁８と空間１１が形成されている。
【００１１】組み立ては、軟膏収納部４に軟膏などを入れ、容器６の開口端１１−１から軟膏塗布手段３を実施例とするボール１２を空間１１に入れて、固定用ねじ５とねじ部１０とを捩じ込みながら固定する。
【００１２】容器６の先のノズル先端に形成されたノズル口９からボール１２の一面を出して、肌との摩擦で回転した時に、半円形の軟膏収納部４にある軟膏等がボールの周りに付き肌に塗れるのである。
【００１３】ボール１２の材質は、硬質又は軟質であっても表面は滑々だと肌の表面で回転せず、軟膏等を塗り付ける事ができず用を足さないと考えられる。したがって、痒み箇所の皮膚を傷つけたりしない程度の、凹凸のある粗面が良い。
【００１４】ノズル９は、ボール１２の一表面が大きいほど皮膚との摩擦で回転する力が加わると思われるので、ボール１２がノズル口９から外れない程度の大きさにすることが必要だ。
【００１５】使用後に大切なことは、軟膏収納部４やボール１２の表面に、軟膏等が残っていて、そのまま数日放置した場合、軟膏等が乾燥して固まってしまう事もありうるので、本体１から容器６を簡単に取り外して拭き取りや掃除が出来る形態にしたのである。
【符号の説明】
【００１６】      １    本体      ２    把持部      ３    軟膏塗布手段      ４    軟膏収納部      ６    支持手段
【手続補正３】
【補正対象書類名】図面
【補正対象項目名】全図
【補正方法】変更
【補正の内容】
【図１】
0003177676.tif 000004
【図２】
0003177676.tif 000005
【図３】
0003177676.tif 000006
【図４】
0003177676.tif 000007
【図５】
0003177676.tif 000008
【図６】
0003177676.tif 000009
【図７】
0003177676.tif 000010
【図８】
0003177676.tif 000011
【図９】
0003177676.tif 000012
【図１０】
0003177676.tif 000013